(57)【特許請求の範囲】
【請求項１】
白色腐朽菌を栽培した後の廃菌床を用い、
該廃菌床を海中に沈設することでフナクイムシ科の生物を着棲・生育させ
該生物を魚類の餌とする
ことを特徴とする廃菌床を利用した魚類の与餌方法。
【請求項２】
前記廃菌床を、海中に沈設した籠状の漁礁内に入れる
ことを特徴とする請求項１記載の廃菌床を利用した魚類の与餌方法。
【請求項３】
前記廃菌床、木片、あるいは前記廃菌床と木片とを、海中に沈設した籠状の漁礁内に水と共に圧入する
ことを特徴とする請求項１または２記載の廃菌床を利用した魚類の与餌方法。
【請求項４】
前記廃菌床の表面を、天然ゴムでコーティングする
ことを特徴とする請求項１または２または３記載の廃菌床を利用した魚類の与餌方法。
【発明の詳細な説明】
【技術分野】
【０００１】
この発明は、廃菌床を利用した魚類の与餌方法に関するものである。
【背景技術】
【０００２】
従来、魚類の餌となるフナクイムシ類などの木質セルロースを食料とする生物を増殖させるためには、丸太を海中に沈めてきた経緯がある。例えば、特許文献１のように。
【０００３】
しかし、丸太は硬いうえに浮力があり海面に浮上した場合、航行する船舶等に損傷を与える恐れがあるため丸太等をフナクイムシ類などの餌にする場合、ダイバーに漁礁等に厳重に固定する必要があり、その安全面への投資が、木製タイプの漁礁のコスト上昇を招いている。
【０００４】
なお、チップ材を袋に入れて海中に投下する方法も上記のようにコスト高となり、また、フナクイムシ類が持つ、木材に穴を開けその穴に石灰質の膜を塗ることで巣穴にする特性から考えると、一枚一枚は薄いチップ材であっても巣穴を作るのには困難な物体であるため、フナクイムシ類への与餌方法としては向いてないと判断される。例えば、特許文献１のように。
【先行技術文献】
【特許文献】
【０００５】
【特許文献１】実開平４−３５７５９号公報
【発明の概要】
【発明が解決しようとする課題】
【０００６】
そこで、上記課題を解決する為に、この発明は、極めて安価で設置でき、しかも航行する船舶等にも安全なオガ粉等のチップ材を菌糸により一つの塊にした廃菌床を用いた魚類の与餌効果の高い廃菌床を利用した魚類の与餌方法を開発・提供する事にある。
【課題を解決するための手段】
【０００７】
この発明の廃菌床を利用した魚類の与餌方法は、
白色腐朽菌を栽培した後の廃菌床を用い、
該廃菌床を海中に沈設することでフナクイムシ科の生物を着棲・生育させ
該生物を魚類の餌とすることを特徴とする。
【０００８】
また、
前記廃菌床を、海中に沈設した籠状の漁礁内に入れる
ことを特徴とする。
【０００９】
そして、
前記廃菌床、木片、または、前記廃菌床と木片を、海中に沈設した籠状の漁礁内に水と共に圧入する
ことを特徴とする。
【００１０】
さらに、
前記廃菌床の表面を、天然ゴムでコーティングする
ことを特徴とする。
【発明の効果】
【００１１】
この発明によると、白色腐朽菌を栽培した後の廃菌床をフナクイムシ類の着棲・生育に利用することにより、漁礁としての効果を奏する。また、廃菌床を一つの塊にし、柔らかく、且つフナクイムシ類が巣穴を作るボリュームを確保できる餌として使用することができ、仮に浮上しても船舶への影響は少なく安全であるとの効果を奏する。
【００１２】
さらに、セルロースを食べるために邪魔なリグニンの分解が進んでいる、シイタケ等の白色腐朽菌を栽培した廃菌床を使用することで、与餌効果を上げるとの効果を奏する。
【００１３】
また、廃菌床等の海への投入方法及び餌としての廃菌床の交換方法も、搬送管とポンプを使用することにより陸あるいは船上より簡単に行えるとの効果を奏する。
【図面の簡単な説明】
【００１４】
【図１】この発明に使用する廃菌床の一実施例を示す斜視図である。
【図２】この発明に使用する廃菌床の加工方法の一実施例を示す説明図である。
【図３】この発明の使用状態の一実施例を示す説明図である。
【発明を実施するための形態】
【００１５】
以下、この発明について詳細に説明する。尚、この発明においては、以下の記述に限定されるものではなく、この発明の要旨を逸脱しない範囲においては適宜変更可能である。
【実施例】
【００１６】
そこで、この発明の一実施例を図１に基づいて詳述すると、白色腐朽菌を栽培した後の廃菌床（１）を用い、該廃菌床（１）を海中に沈設することでフナクイムシ科の生物を着棲・生育させ該生物を魚類の餌とすることを特徴とする廃菌床を利用した魚類の与餌方法より構成されるものである。
【００１７】
なお、前記廃菌床（１）は、オガ粉を固めて構成されたものであり、外周に菌糸（Ｘ）でまとわれており、さらに、前記廃菌床（１）を、海中に沈設した籠状の漁礁（Ｙ）内に挿入することを特徴とする廃菌床を利用した魚類の与餌方法から構成される。
【００１８】
また、海中に沈設した籠状の漁礁（Ｙ）内に収納された前記廃菌床（１）の投入方法や交換方法の一例としては、図３に示すように、例えば、ポンプ等の駆動源（Ｐ）を用い、搬送管（５）内で水圧を利用して前記廃菌床（１）を投入し、あるいは、不要になった廃菌床を吸引して排出することにより、陸より容易に挿入、排出できるものである。
【００１９】
また、前記廃菌床のほか、木片、前記廃菌床と木片とを水圧を利用して圧送することもあり、これによりフナクイムシの餌をより増やすようにすることも可能である。
【００２０】
そして、  前記廃菌床（１）の表面を、天然ゴム（２）でコーティングし、酢（３）に浸漬することにより、コーティング廃菌床（４）とし、乾燥をはやめ、廃菌床（１）の形状が崩れ難くすると共に、有機物であるため、自然界で分解できるものである。
【００２１】
廃菌床（１）は、シイタケ等の白色腐朽菌を栽培した後の廃菌床であり、柔らかくフナクイムシ類、あるいは、フナクイムシ科の生物が巣穴を作るボリュームを確保でき魚類の餌として利用するものである。
【００２２】
なお、フナクイムシ科の生物とは、フナクイムシ（Teredo navalis）、ヤツフナクイムシ（Lyrodus pedicellatus）、タカノシマフナクイムシ（Lyrodus takanoshimensis）、オオフナクイムシ（Bankia bipalmulata）、ヤセオオフナクイムシ(Bankia carinata)、キタオオフナクイムシ（Bankia setacea）、ニオガイのカモメガイモドキ（Martesis striata）をいう。
【００２３】
また、このフナクイムシ科の生物は、前記廃菌床（１）で着棲・生育されて魚類の餌となるものである。
【００２４】
籠状の漁礁（Ｙ）とは、金属製で一部開口した箱体であり、該箱内に廃菌床（１）を一個あるいは複数個を収納するものであり、網状、あるいは格子状の素材で籠状に形成されており、該廃菌床（１）に着棲・生育されたフナクイムシ科の生物は、この空隙部を有する箱体状の漁礁よりでることにより魚類の餌となるものである。
【産業上の利用可能性】
【００２５】
この発明の廃菌床を利用した魚類の与餌方法の技術を確立し、これに基づいて製造・販売することにより市場に寄与する点で産業上の利用可能性を有する。
【符号の説明】
【００２６】
１  廃菌床
２  天然ゴム
３  酢
４  コーティング廃菌床
５  搬送管
Ｐ  駆動源
Ｘ  菌糸
Ｙ  漁礁
【要約】
【課題】この発明は、極めて安価で設置でき、しかも航行する船舶等にも安全なオガ粉等のチップ材を菌糸により一つの塊にした廃菌床を用い、魚類の与餌効果の高い廃菌床を利用した魚類の与餌方法を開発・提供する事にある。
【解決手段】白色腐朽菌を栽培した後の廃菌床（１）を用い、該廃菌床を海中に沈設することでフナクイムシカ科の生物を着棲・生育させ、該生物を魚類の餌とすることを特徴し、前記廃菌床を、海中に沈設した籠状の漁礁（Ｙ）内に入れ，前記廃菌床、木片、あるいは前記廃菌床と木片とを、海中に沈設した籠状の漁礁内に水と共に圧入し、前記廃菌床の表面を、天然ゴム（２）でコーティングし、前記廃菌床（１）は、オガ粉を固めて構成されたものであり、外周に菌糸（Ｘ）でまとわれ、さらに、前記廃菌床（１）を、海中に沈設した籠状の漁礁（Ｙ）内に挿入することを特徴とする廃菌床を利用した魚類の与餌方法。  
【選択図】  図３【図１】
0006039857.tif 000002
【図２】
0006039857.tif 000003
【図３】
0006039857.tif 000004